(57)【要約】【課題】高精度で高速な焦点調節を実現する。  【解決手段】光学レンズ機構１０２に入射する撮像光を映像信号に変換するステップと、映像信号の高周波成分を選択的に取り出す抽出ステップと、選択的に取り出される映像信号の高周波成分から輝度信号と色差信号とを生成する信号生成ステップと、輝度信号の高周波成分を用いて光学レンズ機構１０２の焦点位置調節を行う焦点調節ステップとを含んでデジタルカメラの焦点調整を行う。【選択図】  図１
2005352459.tif 000002
【特許請求の範囲】
【請求項１】
光学レンズ機構に入射する撮像光を映像信号に変換する映像信号変換ステップと、
前記映像信号の高周波成分を選択的に取り出す抽出ステップと、
選択的に取り出される前記映像信号の高周波成分から輝度信号と色差信号とを生成する信号生成ステップと、
前記輝度信号の高周波成分を用いて前記光学レンズ機構の焦点位置調節を行う焦点調節ステップと、
を含む焦点調節方法。
【請求項２】
前記映像信号生成ステップを実施したのち、映像記録時における焦点位置調節タイミングでは前記映像信号の高周波成分を選択して出力し、前記焦点位置調節タイミング以外のタイミングでは、前記映像信号を選択して出力する選択ステップをさらに含み、
前記信号生成ステップでは、前記選択ステップで選択される信号成分から輝度信号と色差信号とを生成し、
前記焦点調節ステップでは、前記焦点位置調節タイミングにおいて前記信号生成ステップで生成される前記輝度信号の高周波成分を用いて前記光学レンズ機構の焦点位置調節を行う、
請求項１の焦点調節方法。
【請求項３】
前記選択ステップでは、前記焦点位置調節タイミングにおいて合焦したのちは前記映像信号を選択して出力する、
請求項２の焦点調節方法。
【請求項４】
請求項２の焦点調節方法を用いて、接眼表示器とモニタ表示部とを有するデジタルカメラの焦点を調節する方法であって、
前記焦点位置調節タイミングにおいて前記接眼表示器にカメラ使用者の眼が接眼されていない場合、前記選択ステップでは、前記映像信号の各フレームデータを構成するラインデータを、２組のラインデータ群に分けたうえで、一方のラインデータ群の出力タイミングでは前記映像信号の高周波成分のラインデータ群を選択し、他方のラインデータ群の出力タイミングでは前記映像信号のラインデータ群を選択し、前記焦点調節ステップでは、前記映像信号の高周波成分のラインデータ群を用いて前記光学レンズ機構の焦点位置調節を行い、
前記焦点位置調節タイミングにおいて前記接眼表示器にカメラ使用者の眼が接眼されている場合、前記選択ステップでは、前記映像信号の高周波成分を選択し、前記焦点調節ステップでは、前記焦点位置調整ステップタイミングにおいて前記映像信号の高周波成分を用いて前記光学レンズ機構の焦点位置調節を行う、
焦点調節方法。
【請求項５】
前記他方のラインデータ群の出力タイミングにおいて、前記映像信号のラインデータ群に基づいて生成される輝度信号と色差信号とを補間して前記モニタ表示器に出力する補間ステップをさらに含む、
請求項４の焦点調節方法。
【請求項６】
光学レンズ機構と、
前記光学レンズ機構に入射する撮像光を映像信号に変換する撮像器と、
前記映像信号の高周波成分を選択的に取り出す抽出器と、
前記抽出器が取り出す前記映像信号の高周波成分から輝度信号と色差信号とを生成する信号処理器と、
前記輝度信号の高周波成分を用いて前記光学レンズ機構の焦点位置調節を行う焦点調節器と、
を備える焦点調節装置。
【請求項７】
前記撮像器の出力と、前記抽出器の出力とを選択して出力する選択器をさらに備え、
前記信号処理器は、前記選択器の出力から前記輝度信号と前記色差信号とを生成する、
請求項６の焦点調節装置。
【請求項８】
前記選択器は、前記撮像器による映像記録時における焦点位置調節タイミングにおいて、前記抽出器から出力される前記映像信号の高周波成分を選択し、前記撮像器による映像記録時における前記焦点位置調節タイミング以外のタイミングにおいて、前記撮像器から出力される前記映像信号を選択する、
請求項７の焦点調節装置。
【請求項９】
前記選択器は、前記撮像器による映像記録時における焦点位置調節タイミングにおいて、合焦したのちは前記撮像器から出力される映像信号を選択する、
請求項８の焦点調節装置。
【請求項１０】
請求項９の焦点調節装置と、
前記信号処理器が出力する前記輝度信号と前記色差信号とから接眼映像表示を行う接眼表示器と、
前記信号処理器が出力する前記輝度信号と前記色差信号とからモニタ映像表示を行うモニタ表示器と、
前記接眼表示器にカメラ使用者の眼が接眼されているかを検知する検知器とを備え、
前記撮像器による映像記録時における焦点位置調節タイミングにおいて前記検知器が前記接眼表示器にカメラ使用者の眼が接眼されていないと判断する場合、前記選択器は、前記映像信号の各フレームデータを構成するラインデータを、２組のラインデータ群に分けたうえで、一方のラインデータ群の出力タイミングでは前記抽出器から出力されるラインデータ群を選択して前記信号処理器に出力し、他方のラインデータ群の出力タイミングでは前記撮像器から出力されるラインデータ群を選択して前記信号処理器に出力し、前記焦点調節器は、前記映像信号の高周波成分のラインデータ群を用いて前記光学レンズ機構の焦点位置調節を行い、
前記撮像器による映像記録時における焦点位置調節タイミングにおいて前記検知器が前記接眼表示器にカメラ使用者の眼が接眼されていると判断する場合、前記選択器は、前記撮像器から出力される前記映像信号を選択して前記信号処理器に出力し、前記焦点調節器は、前記映像信号の高周波成分を用いて前記光学レンズ機構の焦点位置調節を行う、
デジタルカメラ。
【請求項１１】
前記他方のラインデータ群の出力タイミングにおいて、前記撮像器から出力されるラインデータ群に基づいて前記信号処理器で生成される前記輝度信号と前記色差信号とを補間して前記モニタ表示器に出力する補間器をさらに備える、
請求項１０のデジタルカメラ。
【発明の詳細な説明】
【技術分野】
【０００１】
本発明は、デジタルスチルカメラに代表されるデジタルカメラにおいて高精度で高速に焦点調節を行う技術に関する。
【背景技術】
【０００２】
デジタルスチルカメラやカメラ付き携帯等の従来のデジタルカメラでは、複数の画素から構成される撮像器前にカラーフィルタを配置して１画素に１色のデータを得る。ＤＳＰ（Digital Signal Processor）は、撮像器出力のデータ配列から各画素の輝度成分と色相成分（ＹＣ成分）とを取得することで、モニタ出力および静止画記録を行う。
【０００３】
従来から、高周波輝度成分を用いて焦点調節を行うデジタルカメラがある。特許文献１には、高周波輝度成分を用いて焦点調節を行う基本原理が開示されている。
【特許文献１】特開平０５−３３０９７６号公報
【発明の開示】
【発明が解決しようとする課題】
【０００４】
しかしながら、デジタルカメラでは、上述したように、色配列された画素から輝度成分を生成するために、その分、高周波輝度成分が失われてしまう。そのため、高周波輝度成分を用いて焦点調節を行う場合には合焦点まで時間がかかる。
【０００５】
したがって、本発明の主たる目的は、高速で高精度なオートフォーカスを実現する方法を提供することである。
【課題を解決するための手段】
【０００６】
上述した課題を解決するために本発明の焦点調節方法は、光学レンズ機構に入射する撮像光を映像信号に変換する映像信号変換ステップと、前記映像信号の高周波成分を選択的に取り出す抽出ステップと、選択的に取り出される前記映像信号の高周波成分から輝度信号と色差信号とを生成する信号生成ステップと、前記輝度信号の高周波成分を用いて前記光学レンズ機構の焦点位置調節を行う焦点調節ステップとを含む。
【０００７】
また、本発明の焦点調節装置は、光学レンズ機構と、前記光学レンズ機構に入射する撮像光を映像信号に変換する撮像器と、前記映像信号の高周波成分を選択的に取り出す抽出器と、前記抽出器が取り出す前記映像信号の高周波成分から輝度信号と色差信号とを生成する信号処理器と、前記輝度信号の高周波成分を用いて前記光学レンズ機構の焦点位置調節を行う焦点調節器とを備える。
【発明の効果】
【０００８】
本発明によれば、高速かつ高精度の焦点調節を行うことができる。
【発明を実施するための最良の形態】
【０００９】
以下、本発明の好ましい具体例について図面を参照して説明する。なお、本実施形態では、焦点調節処理を画像の高周波成分を抽出することにより行う。
【００１０】
（実施の形態１）
本発明の実施の形態１について図面を参照しながら説明する。図２は実施の形態１にかかるデジタルカメラを示す。１０１は撮像器である。撮像器１０１の撮像方向の前方に光学レンズ機構（以下、レンズ機構と称す）１０２が配置される。レンズ機構１０２は被写体の画像を撮像器１０１上に集光する。撮像器１０１は、レンズ機構１０２により集光された光信号を映像信号(電気信号）に変換して出力する。撮像器１０１の撮像タイミングは、カメラ使用者によるシャッタ１１４の押印操作により制御される。撮像器１０１から出力される映像信号は図示しないＡＤ変換器によってデジタル映像信号に変換される。デジタル映像信号はデジタルシグナルプロセッサ（以下、ＤＳＰと称す）１１０内で信号処理される。ＤＳＰ１１０は抽出器１０３、選択器１０４、信号処理器１０５、およびデジタルズーム器１０６を備える。抽出器１０３は、例えば、映像信号から高周波成分のゲインを増幅させる特性を有するデジタルバンドパスフィルタから構成される。抽出器１０３は、このような特性を発揮することで、映像信号の高周波成分を選択的に取り出す。
【００１１】
抽出器１０３、選択器１０４、信号処理器１０５、およびデジタルズーム器１０６は、回路としてＤＳＰ１１０内に実装されるものであっても、ＤＳＰ１１０が備える演算器を用いてソフトウェア的に処理されるものであってもよい。本実施形態では、マイクロコンピュータ１０７から焦点調節器が構成され、ＤＳＰ１１０とマイクロコンピュータ１０７とから焦点調節装置１１１が構成される。
【００１２】
まず、本実施形態の焦点調節装置１１１により実施される焦点調節動作の概略を説明する。信号処理器１０５はデジタル映像信号から輝度信号と色差信号とを生成してデジタルズーム器１０６に出力する一方、輝度信号をマイクロコンピュータ１０７に出力する。  
【００１３】
マイクロコンピュータ１０７は、供給される輝度信号をＤＣＴ演算して変換係数を求め、さらには演算した変換係数からＤＣ成分を除いてＡＣ変換係数を求める。マイクロコンピュータ１０７は、求めたＡＣ変換係数に基づいて次のような合焦制御を行う。
【００１４】
ＡＣ変換係数を用いて合焦制御を行う場合、合焦位置でＡＣ変換係数はピークを示す。さらには、レンズ位置変化に対するＡＣ変換係数の係数変化の度合いは周波数により変動し、合焦位置近傍においては、高周波側係数の変化が低周波側係数の変化より大きい。マイクロコンピュータ１０７は、このようなＡＣ変換係数の増減特性を利用して、ＡＣ変換係数の高周波成分を用いて合焦処理を行い、これによって合焦精度および合焦速度を向上させる。
【００１５】
図３は抽出器１０３の特性を示す図である。図３に示すように、抽出器１０３は被写体の画像を示す映像信号から高周波成分のゲインを増幅させる特性を有する。抽出器１０３を通過する映像信号は被写体の画像を忠実に表すものではなく、高周波成分が選択的に強調された、いわば、高周波成分が選択的に取り出されたデジタル映像信号となる。
【００１６】
選択器１０４は抽出器１０３を通過したデジタル映像信号と通過しないデジタル映像信号とを選択して出力する。信号処理器１０５は、選択器１０４から出力されるデジタル映像信号から輝度信号と色差信号とを生成する。生成される輝度／色差信号はデジタルズーム器１０６において任意のサイズにデジタルズーム処理（画像拡大／縮小処理）された後、モニタ出力モード時であればモニタ表示器１０８に出力される。一方、生成される輝度／色差信号は、撮像時であれば、図示しない圧縮部によって信号圧縮された後に記録デバイス１０９に出力されてここで画像として記録される。
【００１７】
信号処理器１０５によって生成される輝度信号はマイクロコンピュータ１０７にも出力される。マイクロコンピュータ１０７は信号処理器１０５から供給される輝度信号の高周波成分を用いてレンズ機構１０２の焦点調節を行う。具体的にはマイクロコンピュータ１０７は、レンズ機構１０２が有するレンズ位置調節装置（図示省略）を制御しながら、高周波成分（ＡＣ変換係数の高周波成分）の信号レベルがピークとなるレンズ位置を探し、そのレンズ位置をもってレンズ機構１０２の合焦位置とする。
【００１８】
なお、本実施の形態における焦点調節装置１１１は、ＤＳＰ１１０が画像処理を行い、マイクロコンピュータ１０７が焦点の調節を行う２チップ構成としているが、本発明はこれに限られるものではなく、例えば、上記の処理を全て１チップで行う構成としても良い。
【００１９】
図１のように構成されたデジタルカメラ（焦点調節装置１１１）において、焦点調節を行う方法を以下に具体的に説明する。
【００２０】
図４は本実施の形態にかかる焦点調節装置１１１による焦点調節方法を示すフローチャートである。デジタルカメラの稼動状態においては、撮像器１０１は撮像処理により生成する電気映像信号を出力している（ステップＳ４−１）。この状態でマイクロコンピュータ１０７はシャッタ１１４が押されたか否かを監視している（ステップＳ４−２）。
【００２１】
ステップＳ４−２でシャッタ１１４が押されたことを検知したマイクロコンピュータ１０７は、抽出器１０３を通過したデジタル映像信号（以下、抽出器通過信号という）を選択する指示を選択器１０４に出力する。マイクロコンピュータ１０７からの選択指示を受けた選択器１０４は、その選択指示に基づいて抽出器通過信号を選択して出力する（ステップＳ４−３）。
【００２２】
ここで、抽出器１０３を通過しない通常のデジタル映像信号（以下、抽出器非通過信号という）に基づいて信号処理器１０５が生成する輝度信号は、信号処理器１０５の特性上、図１に示すように高周波成分のゲインが低下した周波数特性となる。これに対して、抽出器通過信号は、高周波成分のゲインが選択的に増幅された周波数特性となる。そのため、抽出器通過信号に基づいて信号処理器１０５で生成される輝度信号では、その高周波成分の情報量は合焦制御にとって十分に豊富な量となる。
【００２３】
マイクロコンピュータ１０７は抽出器通過信号に基づいて信号処理器１０５が生成する輝度信号から高周波成分を取り出してその高周波成分を用いて焦点調節を行う（ステップＳ４−４）。焦点調節は、上記高周波成分を用いた計算処理によってレンズの移動距離を算出したうえで、算出した移動距離だけレンズ機構１０２のレンズを移動させることで実施される。マイクロコンピュータ１０７はレンズ機構１０２を稼動させたのちレンズ位置が焦点位置に到達したかどうかを判断する（ステップＳ４−５）。レンズ位置が焦点位置にある状態を合焦点と称す。このような合焦調節処理（ステップＳ４−１〜Ｓ４−５）を繰り返し実施することで、合焦点を探り出し、ステップＳ４−５で合焦点に到達したことを確認すると、マイクロコンピュータ１０７は、抽出器非通過信号を選択する指示を選択器１０４に出力する。マイクロコンピュータ１０７からの選択指示を受けた選択器１０４は、その選択指示に基づいて抽出器非通過信号を選択して出力する（ステップＳ４−６）。
【００２４】
信号処理器１０５は、抽出器非通過信号から輝度信号と色差信号とを生成してデジタルズーム部１０６に出力する。デジタルズーム部１０６は、設定されているズーム設定に基づいて輝度信号と色差信号とにデジタルズーム処理を施して記録デバイス１０９に出力する。記録デバイス１０９は入力される輝度信号と色差信号とを記録する（ステップＳ４−７）。
【００２５】
ここで、抽出器通過信号から生成される輝度信号では、高周波成分の情報量が十分に豊富であるため、この輝度信号を用いてマイクロコンピュータ１０７が実施する焦点調節操作（ステップＳ４−４，Ｓ４−５）では、素早く、かつ高精度に合焦点であるか否かを判断することができる。
【００２６】
一方、抽出器通過信号は高周波成分が選択的に強調された不自然な特性を有する。そのため、抽出器通過信号に基づいてモニタ画像を作成することはできない。そこで、ステップＳ４−２でシャッタが押されていないと判断する場合、マイクロコンピュータ１０７は、抽出器非通過信号を選択する指示を選択器１０４に出力する。マイクロコンピュータ１０７からの選択指示を受けた選択器１０４は、その選択指示に基づいて抽出器非通過信号を選択して信号処理器１０５に出力する（ステップＳ４−８）。信号処理器１０５は抽出器非通過信号から輝度信号／色差信号を生成する。
【００２７】
マイクロコンピュータ１０７は、抽出器非通過信号から生成される輝度信号を用いて焦点調節を行う（ステップＳ４−９）。さらには、シャッタ１１４が押されていないモニタ出力モード時においては、モニタ表示器１０８に画像を表示し続ける必要がある。そのため、焦点調節を繰り返しつつ抽出器非通過信号に基づいた輝度信号／色差信号をモニタ表示器１０８に出力して表示動作させる（Ｓ４−１０）。
【００２８】
抽出器非通過信号から生成される輝度信号では、その高周波成分のゲインは減少している。そのため、その際の焦点調節精度や速度は必ずしも高いとはいえない。しかしながら、この輝度信号に基づいて焦点調節が実施される期間は、単にモニタ表示期間であって記録タイミングではないため、映像記録のうえで特に問題とならない。反対に、このモニタ表示期間に出力される輝度信号は、その高周波が強調されていない自然な高周波成分を有したものとなる。そのため、モニタ表示期間におけるモニタ表示は自然な描写となる。
【００２９】
上述のように、シャッタ１１４の押印操作時には、抽出器通過信号に基づいて合焦制御を行うので、合焦点であるかどうかの判断を早く行うことができる。結果として合焦点に到達するまでの時間は短くなり、焦点精度を高めることができる。なお、シャッタ１１４の操作時において合焦したのちは、選択器１０４の出力を抽出器非通過信号に切り換えるため、記録デバイス１０９に記録する映像信号が不自然になることもない。
【００３０】
（実施の形態２）
本発明の実施の形態２について図面を参照しながら説明する。以下に説明する実施の形態２では、次のことを前提にしている。すなわち、デジタルカメラは、モニタ表示器１０８の他に、接眼表示器（以下、ファインダという）１１２を備えている。カメラ使用者は、ファインダ１１２に眼を接眼させてその表示内容を目視により確認しながら撮影を行う場合と、ファインダ１１２から眼を離してモニタ表示器１０８の表示を目視により確認しながら撮影を行う場合とがある。ファインダ１１２の表示領域は小さいために、ファインダ目視による撮影の場合、カメラ使用者は、専ら撮影画面全体の雰囲気と合焦具合とに注目しながら、撮影を行う。一方、モニタ表示器１０８は、その表示領域が大きく、表示映像の色目も正確であるため、モニタ目視による撮影の場合、カメラ使用者は、撮影画面全体の雰囲気と合焦具合とに加えて、撮影画面の色目にも注目しながら、撮影を行う。
【００３１】
本実施形態では、カメラ使用者がファインダ１１２の表示内容を確認しながら撮影を行う場合と、モニタ表示器１０８の表示内容を確認しながら撮影を行う場合とでは、焦点調節制御を異ならせている。以下、説明する。
【００３２】
デジタルカメラの構成図は実施の形態１と同様であるので省略する。図５は実施の形態２に係る焦点調節方法のフローチャートである。なお、図５のフローチャートと図４のフローチャートとは、同一の処理を行うステップを含んでいる。そのため、図５の各ステップにおいて、図４と同一のステップには、同一の符号を付しており、それらのステップについての説明は省略する。
【００３３】
本実施の形態では、撮像されない場合の焦点調節方法については実施の形態１と変わりはない。本実施の形態においては、シャッタ１１４が押された場合にカメラ使用者がファインダ１１２を覗いているかどうかを判断したうえで、その判断結果に基づいて焦点調節方法を変更している点に更なる特徴がある。
【００３４】
ファインダ１１２を覗いているか否かの判断は、ファインダ１１２の近傍に光学センサや接触センサ等からなる検知器１１３を設けておき、この検知器１１３により検知させる。
【００３５】
本実施形態では、Ｓ４−２に続いて実施するステップＳ４−２−１の処理において、マイクロコンピュータ１０７は、シャッタを押された時点でカメラ使用者がファインダ１１２を覗いているか否かを判断する。そして、ステップＳ４−２−１でカメラ使用者がファインダ１１２を覗いていると判断する場合、マイクロコンピュータ１０７は、実施の形態１と同様にステップＳ４−３，Ｓ４−４，Ｓ４−５，Ｓ４−６，Ｓ４−７の処理を実施する。
【００３６】
一方、ステップＳ４−２−１でカメラ使用者がファインダ１１２を覗いていないと判断する場合、マイクロコンピュータ１０７は、選択器１０４に、次の指示を出力する。すなわち、マイクロコンピュータ１０７は、選択器１０４から出力させるデジタル映像信号の各フレームデータを２組のラインデータ群に分けたうえで、一方のラインデータ群として抽出器通過信号のラインデータ群を選択する指示と、他方のラインデータ群として抽出器非通過信号のラインデータ群を選択する指示とを生成し、その指示を選択器１０４に出力する。
【００３７】
選択器１０４は、マイクロコンピュータ１０７の上記指示に基づいて抽出器通過信号のラインデータ群（以下、抽出器通過ラインデータ群という）と、抽出器非通過信号のラインデータ群（以下、抽出器非通過ラインデータ群という）とをライン毎に切り換えながら出力する（ステップＳ４−１１）。
【００３８】
信号処理器１０５は、抽出器通過ラインデータ群から抽出器通過輝度信号を生成するとともに、抽出器非通過ラインデータ群から抽出器非通過輝度信号／色差信号を生成する（ステップＳ４−１２，ステップＳ４−１５）。信号処理器１０５は、生成した抽出器非通過輝度／色差信号を選択的にデジタルズーム器１０６に出力し、抽出器通過輝度信号を選択的にマイクロコンピュータ１０７に出力する。
【００３９】
マイクロコンピュータ１０７は、入力される抽出器通過輝度信号を用いて焦点調節操作を行う（ステップＳ４−１３）。ステップＳ４−１３における焦点調節操作は、ステップＳ４−４における焦点調節操作と同じである。ただし、抽出器通過輝度信号では垂直方向の成分が失われているので、水平方向の高周波輝度成分だけを用いて焦点調節を行う。
【００４０】
このような合焦調節処理（ステップＳ４−１〜Ｓ４−１３）を繰り返し実施することで、合焦点を探り出し、ステップＳ４−１４で合焦点に到達したことを確認すると、マイクロコンピュータ１０７は、ステップＳ４−６に戻って抽出器非通過信号を選択する指示を選択器１０４に出力する。マイクロコンピュータ１０７からの選択指示を受けた選択器１０４は、その選択指示に基づいて抽出器非通過信号を選択して出力する。信号処理器１０５は、抽出器非通過信号から輝度信号と色差信号とを生成してデジタルズーム器１０６に出力する。デジタルズーム器１０６は、設定されているズーム設定に基づいて輝度信号と色差信号とにデジタルズーム処理を施して記録デバイス１０９に出力する。記録デバイス１０９は入力される輝度信号と色差信号とを記録する（ステップＳ４−７）。
【００４１】
ステップＳ４−１５の処理により、信号処理器１０５からデジタルズーム器１０６に出力される抽出器非通過輝度信号／色差信号は、デジタルズーム器１０６における電子ズーム機能により、ライン補間が実施される（Ｓ４−１６）。ここで、デジタルズーム器１０６は、補間器としての機能を果たす。ライン補間されることで抽出器非通過ラインデータ群は、モニタ表示器１０８で表示可能となる。ライン補間された抽出器非通過ラインデータ群は、モニタ表示器１０８に出力されてここで表示される（Ｓ４−１７）。これにより、モニタ表示器１０８では、合焦処理時においても、比較的自然な撮影映像を表示することができる。これは、合焦処理時において、モニタ表示器１０８に供給される映像信号は、抽出器非通過ラインデータ群を補間した映像信号であって、補間データではあるものの高周波成分は自然なままのデータであることによっている。
【００４２】
なお、抽出器通過ラインデータ群と抽出器非通過ラインデータ群とは、例えば、次のように設定できる。すなわち、総てのラインデータを連続する３本のライン組毎に区分したうえで、区分した各ライン組のなかの１ラインを抽出器通過ラインデータ群に振り分け、残りの２ラインを抽出器非通過ラインデータ群に振り分ける。
【００４３】
カメラ使用者がファインダ１１２を覗いている状態ではモニタ表示器１０８に出力する必要は無い。そのため、この状態では、抽出器通過信号を用いて焦点調節を行う。一方、カメラ使用者がファインダ１１２を覗いていない状態では、モニタ表示器１０８に出力する必要がある。そのため、抽出器通過信号のラインデータ群を用いて焦点調節を行い、抽出器非通過信号のラインデータ群を補間したうえでモニタ表示器１０８に出力する。これによりカメラ使用者は輝度信号の高周波成分を用いた精度の高い焦点調節を行っている間でも、モニタ表示器１０８によって自然な映像を確認することができる。
【００４４】
なお、カメラ使用者がファインダ１１２を覗いている状態において、ファインダ１１２に表示される映像は補間された映像とはならない。しかしながら、ファインダ１１２の表示領域は数ｃｍ四方程度の小さなものであるため、特に補間しなくともその映像は実質的に問題とはならない。
【産業上の利用可能性】
【００４５】
本発明は、高速かつ高精度の焦点調節が行えるのでデジタルスチルカメラに代表されるデジタルカメラに利用可能である。
【図面の簡単な説明】
【００４６】
【図１】ＹＣ信号生成処理時の周波数特性の図である。
【図２】本発明におけるデジタルカメラの構成図である。
【図３】本発明におけるバンドパスフィルタの周波数特性の図である。
【図４】本発明の実施の形態１における焦点調節方法のフローチャートである。
【図５】本発明の実施の形態２における焦点調節方法のフローチャートである。
【符号の説明】
【００４７】
１０１  撮像器
１０２  光学レンズ機構
１０３  抽出器
１０４  選択器
１０５  信号処理器
１０６  デジタルズーム器
１０７  マイクロコンピュータ
１０８  モニタ表示器
１０９  記録デバイス
１１０  ＤＳＰ
１１１  焦点調節装置
【図１】
2005352459.tif 000003
【図２】
2005352459.tif 000004
【図３】
2005352459.tif 000005
【図４】
2005352459.tif 000006
【図５】
2005352459.tif 000007